(57)【要約】【課題】生産効率がよく、製造コストの低減化を適切に図ることが可能なバーナケースを提供する。【解決手段】被カシメ部１１ａを有する第１の部材Ｃｍと、被カシメ部１１ａに対向する対向部４１、およびこの対向部４１に延設され、かつ曲げ加工が施されることにより対向部４１との相互間に被カシメ部１１ａを挟み込むためのカシメ用の延設部４４を有する第２の部材４と、を備えており、延設部４４の長さ方向の一部は、爪部４４ａとして構成されている。【選択図】  図２
2018031551.tif 000002
【特許請求の範囲】
【請求項１】
バーナケースの構成部材である第１および第２の部材どうしを組み合わせてからこれらの仮固定を図る仮固定工程と、
この仮固定工程の後に、前記第１および第２の部材どうしの本固定を図るための本固定工程と、
を有する、バーナケースの製造方法であって、
前記第２の部材として、前記第１の部材の被カシメ部に対向する対向部、およびこの対向部に延設された延設部を有し、かつこの延設部の長さ方向の一部が爪部として構成されており、
前記仮固定工程においては、前記爪部に曲げ加工を施すことにより、前記爪部と前記対向部との相互間に前記被カシメ部を挟み込む仮カシメ作業を行ない、
前記本固定工程においては、前記延設部の前記爪部以外の部分にも曲げ加工を施すことにより、前記延設部と前記対向部との相互間に前記被カシメ部を挟み込む本カシメ作業を行なうことを特徴とする、バーナケースの製造方法。
【請求項２】
請求項１に記載のバーナケースの製造方法であって、
前記爪部は、前記延設部の幅方向の外側縁からその内方に延びるように設けられた切欠凹部を介して他の部分とは区分されて構成され、または部分的な幅広状とされて構成されている、バーナケースの製造方法。
【請求項３】
請求項１または２に記載のバーナケースの製造方法であって、
前記バーナケースは、開口部が形成され、かつ内部にバーナが収容されるケース本体部と、前記開口部を塞ぐように前記ケース本体部に取付けられる蓋部と、を備えており、
前記ケース本体部および前記蓋部のうち、一方が前記第１の部材であり、他方が前記第２の部材である、バーナケースの製造方法。
【請求項４】
請求項３に記載のバーナケースの製造方法であって、
前記ケース本体部の前記開口部が略水平方向を向くように設定された状態において、前記開口部の左右両側には、上下高さ方向に延びる一対のフランジ部が設けられ、かつ前記蓋部の横幅方向の両側縁部は、前記一対のフランジ部に対向する領域とされており、
前記一対のフランジ部および前記両側縁部のうち、一方が前記被カシメ部であり、かつ他方が前記対向部である、バーナケースの製造方法。
【請求項５】
請求項４に記載のバーナケースの製造方法であって、
前記仮固定工程の後に、前記ケース本体部の前記開口部の下縁部と、前記蓋部の下縁部とを互いにカシメ連結する工程を、さらに有している、バーナケースの製造方法。
【請求項６】
被カシメ部を有する第１の部材と、
前記被カシメ部に対向する対向部、およびこの対向部に延設され、かつ曲げ加工が施されることにより前記対向部との相互間に前記被カシメ部を挟み込むためのカシメ用の延設部を有する第２の部材と、
を備えており、
前記延設部の長さ方向の一部は、爪部として構成されていることを特徴とする、バーナケース。
【請求項７】
請求項６に記載のバーナケースであって、
前記爪部は、前記延設部の幅方向の外側縁からその内方に延びるように設けられた切欠凹部を介して他の部分とは区分されて構成され、または部分的な幅広状とされて構成されている、バーナケース。
【請求項８】
請求項７に記載のバーナケースであって、
前記切欠凹部として、前記延設部の長さ方向の端部近傍に位置する切欠凹部が設けられており、この切欠凹部よりも前記端部側の領域が、前記爪部である、バーナケース。
【請求項９】
請求項７または８に記載のバーナケースであって、
前記切欠凹部の前記幅方向の寸法は、前記延設部と前記被カシメ部との重なり幅以下とされている、バーナケース。
【請求項１０】
請求項６ないし９のいずれかに記載のバーナケースであって、
開口部が形成され、かつ内部にバーナが収容されるケース本体部と、前記開口部を塞ぐように前記ケース本体部に取付けられる蓋部と、を備えており、
前記ケース本体部および前記蓋部のうち、一方が前記第１の部材であり、他方が前記第２の部材である、バーナケース。
【発明の詳細な説明】
【技術分野】
【０００１】
本発明は、たとえば瞬間式給湯装置用などの燃焼装置の構成要素として用いられるバーナケースに関連する技術に関する。
【背景技術】
【０００２】
本出願人は、瞬間式給湯装置用の燃焼装置の一例として、特許文献1に記載のものを先に提案している。
同文献に記載の燃焼装置は、バーナケース内にバーナが収容されている。ここで、バーナケースは、同文献の図３および図４に示されているように、上面開口部に加えて後面開口部が形成されたケース本体部と、前記後面開口部を塞ぐための蓋部とを組み合わせた構成とされている。後面開口部は、ケース本体部内にバーナを組み込むための開口部として利用される。
【０００３】
前記したようなバーナケースを製造する場合、従来においては、ケース本体部と蓋部とを固定させるための手段として、蓋部の複数箇所をケース本体部にビス止めする手段が採用されているのが実情であった。
ところが、このような手段によれば、蓋部の複数箇所のビス止め作業が煩雑であり、生産性がよいとは必ずしも言えない。また、バーナケース内の気体が外部に漏出しないように配慮する必要があるため、ビス止め手段を採用する場合には、蓋部とケース本体部との間にシール用パッキンを介装させる必要も生じる。したがって、製造コストが高価となる。
【０００４】
そこで、本件発明者らは、蓋部をケース本体部に固定させるための手段として、ビス止め手段に代えて、カシメ手段を用いることを着想した。ただし、バーナケースの製造作業は、ケース本体部内にバーナを組み込んだ後に、蓋部をケース本体部に組み付け固定させる必要がある。このため、ケース本体部へのバーナの組み込み作業時と、カシメ装置を用いたカシメ作業時とでは、カシメ装置の仕様などに対応させて、バーナケースの姿勢（向き）を変えなければならない場合がある。たとえば、ケース本体部へのバーナの組み込み作業時には、ケース本体部を起立させ、蓋部をケース本体部の後方から組み付ける姿勢とするが、カシメ装置を用いたカシメ作業を行なうには、蓋部がケース本体部の下に位置する姿勢に設定しなければならないといった場合が生じ得る。このようにバーナケースの姿勢を変化させる場合に、なんらかの手当てをしていなければ、ケース本体部と蓋部とが不当に位置ずれする。これを防止することを目的として、ケース本体部と蓋部との少数箇所をビス止めし、それらを仮固定させることが考えられるが、このような手段を採用したのでは、ビス止め作業がやはり煩雑であり、製造コストの十分な削減を図ることは難しい。
【先行技術文献】
【特許文献】
【０００５】
【特許文献１】特開２０１３−２４２０８０号公報（図１〜図４）
【発明の概要】
【発明が解決しようとする課題】
【０００６】
本発明は、前記したような事情のもとで考え出されたものであり、生産効率がよく、製造コストの低減化を適切に図ることが可能なバーナケースの製造方法、およびバーナケースを提供することを、その課題としている。
【課題を解決するための手段】
【０００７】
上記の課題を解決するため、本発明では、次の技術的手段を講じている。
【０００８】
本発明の第１の側面により提供されるバーナケースの製造方法は、バーナケースの構成部材である第１および第２の部材どうしを組み合わせてからこれらの仮固定を図る仮固定工程と、この仮固定工程の後に、前記第１および第２の部材どうしの本固定を図るための本固定工程と、を有する、バーナケースの製造方法であって、前記第２の部材として、前記第１の部材の被カシメ部に対向する対向部、およびこの対向部に延設された延設部を有し、かつこの延設部の長さ方向の一部が爪部として構成されており、前記仮固定工程においては、前記爪部に曲げ加工を施すことにより、前記爪部と前記対向部との相互間に前記被カシメ部を挟み込む仮カシメ作業を行ない、前記本固定工程においては、前記延設部の前記爪部以外の部分にも曲げ加工を施すことにより、前記延設部と前記対向部との相互間に前記被カシメ部を挟み込む本カシメ作業を行なうことを特徴としている。
【０００９】
このような構成によれば、次のような効果が得られる。
第１に、バーナケースの構成部材である第１および第２の部材どうしを、カシメ連結するために、第１および第２の部材どうしを連結固定するための手段として、これらの部材をビス止めする必要をなくし、または少なくすることができる。したがって、第１および第２の部材の連結固定作業の簡素化を図り、バーナケースの生産性の向上、ならびに製造コストの低減を図ることが可能である。
第２に、第１および第２の部材をカシメ連結（本カシメ）する前に、第１および第２の部材を仮固定させるために、第１および第２の部材を位置ずれさせるようなことなく、本カシメ作業を適切に行なうことが可能である。
第３に、第１および第２の仮固定は、仮カシメにより行なうため、仮固定時においても、ビス止めの必要をなくし、または少なくすることができ、生産性をより高めることが可能である。
第４に、第１および第２の部材の仮固定は、本カシメに利用される延設部の一部である爪部を利用して行なうため、仮カシメ専用の部分を延設部とは別個に設けておくような必要はない。したがって、第１および第２の部材の構成の煩雑化を抑制することが可能である。
第５に、仮カシメ作業によって曲げ加工が施される爪部は、曲げ加工が容易なものとすることができる。その結果、簡易かつ小型の装置または機器を用いて、仮カシメ作業を容易かつ適切に行なうことが可能である。
第６に、仮カシメに利用された爪部の曲げ形状は、本カシメ作業時に矯正し、被カシメ部に密接するように設定することが可能である。したがって、爪部の箇所が、カシメ不良になるといった不具合も生じないようにすることが可能である。
【００１０】
本発明において、好ましくは、前記バーナケースは、開口部が形成され、かつ内部にバーナが収容されるケース本体部と、前記開口部を塞ぐように前記ケース本体部に取付けられる蓋部と、を備えており、前記ケース本体部および前記蓋部のうち、一方が前記第１の部材であり、他方が前記第２の部材である。
【００１１】
このような構成によれば、バーナケースの主要構成部材どうしを、本発明の製造方法によって、効率よくカシメ連結することができる。したがって、バーナケースの生産性を高め、製造コストの低減化を図る上で、一層好ましいものとなる。
【００１２】
本発明において、好ましくは、前記ケース本体部の前記開口部が略水平方向を向くように設定された状態において、前記開口部の左右両側には、上下高さ方向に延びる一対のフランジ部が設けられ、かつ前記蓋部の横幅方向の両側縁部は、前記一対のフランジ部に対向する領域とされており、前記一対のフランジ部および前記両側縁部のうち、一方が前記被カシメ部であり、かつ他方が前記対向部である。
【００１３】
このような構成によれば、ケース本体部への蓋部のカシメ連結を、簡易な構成によって適切に図ることができる。
【００１４】
本発明において、好ましくは、前記仮固定工程の後に、前記ケース本体部の前記開口部の下縁部と、前記蓋部の下縁部とを互いにカシメ連結する工程を、さらに有している。
【００１５】
このような構成によれば、ケース本体部の開口部を塞ぐように蓋部をケース本体部に連結固定することが、より合理的かつ適切に行なわれる。前記構成によれば、ケース本体部と蓋部とのビス止め箇所をなくし、または少なくする上で、一層好ましいものとなる。
【００１６】
本発明の第２の側面により提供されるバーナケースは、被カシメ部を有する第１の部材と、前記被カシメ部に対向する対向部、およびこの対向部に延設され、かつ曲げ加工が施されることにより前記対向部との相互間に前記被カシメ部を挟み込むためのカシメ用の延設部を有する第２の部材と、を備えており、前記延設部の長さ方向の一部は、爪部として構成されていることを特徴としている。
【００１７】
このような構成のバーナケースは、本発明の第１の側面により提供されるバーナケースの製造方法の実施に好適に用いることができ、前記バーナケースの製造方法について述べたのと同様な効果が得られる。
【００１８】
本発明において、好ましくは、前記爪部は、前記延設部の幅方向の外側縁からその内方に延びるように設けられた切欠凹部を介して他の部分とは区分されて構成され、または部分的な幅広状とされて構成されている。
【００１９】
このような構成によれば、簡易な構成により、延設部の一部を爪部とすることが可能である。また、前記したような構成の爪部は、曲げ変形を生じ易く、仮カシメ工程の容易化を図る上で、より好ましい。
【００２０】
本発明において、好ましくは、前記切欠凹部として、前記延設部の長さ方向の端部近傍に位置する切欠凹部が設けられており、この切欠凹部よりも前記端部側の領域が、前記爪部である。
【００２１】
このような構成によれば、前記爪部を曲げ易く、仮カシメ作業を容易に行なう上で、一層好ましい。前記爪部の一部を被カシメ部の端部に強く圧接させて係止させるといったことも可能となる。
【００２２】
本発明において、好ましくは、前記切欠凹部の前記幅方向の寸法は、前記延設部と前記被カシメ部との重なり幅以下とされている。
【００２３】
このような構成によれば、延設部に切欠凹部が形成されていることに起因して、第１および第２のカシメ連結箇所の気密性が損なわれる不具合を生じないようにすることが可能である。延設部と対向部との境界部分には、曲げ加工が施されているため、この曲げ加工部分においては、延設部と被カシメ部との密着性が悪くなる。したがって、切欠凹部が長い寸法に形成され、その一部が、延設部の曲げ加工部分に位置していたのでは、この部分は被カシメ部によって適切に塞がれず、気密性が損なわれる虞がある。これに対し、前記構成によれば、そのような虞をなくすことが可能である。
【００２４】
本発明のその他の特徴および利点は、添付図面を参照して以下に行なう発明の実施の形態の説明から、より明らかになるであろう。
【図面の簡単な説明】
【００２５】
【図１】（ａ）は、本発明に係るバーナケースの一例を示す斜視図であり、（ｂ）は、（ａ）のIb−Ib断面図であり、（ｃ）は、（ａ）のIc−Ic断面図であり、（ｄ）は、（ａ）の矢視Idの一部破断要部斜視図である。
【図２】（ａ）は、図１（ａ）に示すバーナケースの組み付け前におけるケース本体部と蓋部とのを構成を示す斜視図であり、（ｂ）は、（ａ）のIIb−IIb断面図であり、（ｃ）は、（ａ）のIIc−IIc断面図である。
【図３】（ａ）は、図２（ａ）に示すケース本体部に蓋部を組み合わせた状態（非固定状態）を示す斜視図であり、（ｂ）は、（ａ）のIIIb−IIIb断面図であり、（ｃ）は、（ａ）の矢視IIIcの一部破断要部斜視図である。
【図４】（ａ）は、図３（ａ）に示すケース本体部に蓋部を仮固定させた状態を示す斜視図であり、（ｂ）は、（ａ）のIVb−IVb断面図であり、（ｃ）は、（ａ）のIVc−IVc断面図であり、（ｄ）は、（ａ）の矢視IVdの一部破断要部斜視図である。
【図５】図２（ａ）に示すケース本体部の分解斜視図である。
【図６】本発明の他の例を示す斜視図である。
【図７】本発明の他の例を示す斜視図である。
【図８】本発明の他の例を示す斜視図である。
【発明を実施するための形態】
【００２６】
以下、本発明の好ましい実施の形態について、図面を参照して具体的に説明する。
【００２７】
図１に示すバーナケースＢＣは、上面が開口した略直方体状であり、その内部に収容される複数のバーナ５と組み合わされて、燃焼装置Ｂを構成している。この燃焼装置Ｂは、たとえば給湯装置の構成要素として用いられ、バーナ５により発生させた燃焼ガスを、湯水加熱用の熱交換器に供給するためのものである。複数のバーナ５は、たとえば特許文献１などに記載されたものと同様な構成である。バーナケースＢＣ内には、バーナケースＢＣの側壁が高温に加熱されることを防止するための一対の遮熱板８２（図２を参照）や、バーナケースＢＣ内を２つの燃焼室に仕切る仕切板８３なども組み付けられている。
【００２８】
バーナケースＢＣは、ケース本体部Ｃｍと蓋部４とを組み合わせて構成されている。図２に示すように、ケース本体部Ｃｍは、開口部として、上面開口部６０に加え、略水平方向を向く後面開口部６１も有している。上面開口部６０は、バーナ５により発生させた燃焼ガスを上方に送り出すための部位であるのに対し、後面開口部６１は、ケース本体部Ｃｍ内へのバーナ５の組み付け作業などに利用される部位である。この後面開口部６１は、蓋部４によって塞がれる開口部であり、本発明でいうケース本体部の開口部の一例に相当する。
【００２９】
ケース本体部Ｃｍは、図５に示すように、金属板にプレス加工を施して構成されたベース部材１およびバーナセット用部材２を組み合わせて構成されている（ただし、本発明におけるケース本体部は、単一部材で構成することもできる）。ベース部材１は、底壁部１２、およびこの底壁部１２の横幅方向両端部から上向きに起立した一対の側壁部１１を備えている。底壁部１２には、不図示のファンから吐出される燃焼用空気通過用の孔部１０が設けられている。バーナセット用部材２は、複数の小サイズの通気孔２４が設けられた整流板部２０、この整流板部２０の前側縁部から上向きに起立した前壁部２１、およびバーナ５に燃料用ガスを供給するための複数の開口部２２などを備えている。ケース本体部Ｃｍの組み立ては、底壁部１２の上側に整流板部２０を重ね、かつ一対の側壁部１１の相互間に前壁部２１を介装させるように行なわれる。ベース部材１およびバーナセット用部材２どうしの組み付けは、たとえばそれらに設けられたフランジ部１３，２５を利用して、位置決めを図り、かつそれらをトックスかしめ、あるいは溶接するなどして行なわれる
。
【００３０】
図１に示すように、ケース本体部Ｃｍに対する蓋部４の組み付け固定手段として、蓋部４の左右両側縁部をケース本体部Ｃｍにカシメ連結させた一対の第１のカシメ部７Ａと、蓋部４の下縁部をケース本体部Ｃｍの下縁部にカシメ連結させた第２のカシメ部７Ｂとが設けられている。
【００３１】
第１のカシメ部７Ａを説明すると、図２によく表われているように、ケース本体部Ｃｍの一対の側壁部１１の後端縁には、上下高さ方向に延びる一対のフランジ部１１ａが設けられている。このフランジ部１１ａは、本発明でいう被カシメ部の一例に相当する。一方、蓋部４は、起立状の板状であり、この蓋部４の左右両側縁部は、フランジ部１１ａに対向する一対の対向部４１（図２の上下方向に延びる仮想線Ｌｂよりも横幅方向外端側部分）を含んでいる。また、これら一対の対向部４１の外側縁には、この外側縁から前方に突出するように屈曲したカシメ用の一対の延設部４４が一体的に繋がった状態で延設されている。
【００３２】
図１（ｂ）に示すように、第１のカシメ部７Ａにおいては、フランジ部１１ａと対向部４１とが対向接触し、かつ延設部４４がフランジ部１１ａの背面側に廻り込むように曲げられている。このことにより、延設部４４と対向部４１との相互間にフランジ部１１ａが強く挟み込まれて固定されている。
なお、図２に示すように、延設部４４には、複数の切欠凹部４５が設けられ、仮カシメ用の爪部４４ａが形成されているが、この点については、後述する。
【００３３】
第２のカシメ部７Ｂを説明すると、図２(ａ)に示すように、蓋部４には、この蓋部４の下縁部から後方に向けて突出するように屈曲したフランジ部４２、およびこのフランジ部４２の先端から下向きに屈曲したカシメ用の延設部４２ａが設けられている。一方、ケース本体部Ｃｍの底壁部１２は、一対の側壁部１１よりも後方側に突出した後端縁部１２ａ（図５の横幅方向に延びる仮想線Ｌａよりも底壁部１２の先端側部分）を含んでおり、かつこの後端縁部１２ａ上には、整流板部２０の後端縁部２３が重ねられている。
【００３４】
図１（ｃ）に示すように、第２のカシメ部７Ｂにおいては、後端縁部１２ａ，２３、およびフランジ部４２が、上下高さ方向に重なり、かつ延設部４２ａが後端縁部１２ａの下面側に廻り込むように曲げられている。このことにより、延設部４２ａとフランジ部４２との間に、後端縁部１２ａ，２３が強く挟み込まれて固定されている。
【００３５】
次に、前記したバーナケースＢＣの製造方法の一例について説明する。
【００３６】
まず、蓋部４をケース本体部Ｃｍに組み付ける前の段階においては、蓋部４を、図２に示すような構成としておく。
具体的には、各延設部４４には、その上下両端部の近傍に位置する上下一対の切欠凹部４５を設け、仮カシメ用の爪部４４ａを予め形成しておく（延設部４４の上下方向は、本発明でいう延設部の長さ方向の一例に相当する）。切欠凹部４５は、延設部４４の幅方向の外側縁４４ｃからその内方に延びるように設けられている。このことにより、上側の切欠凹部４５よりも上側領域である延設部４４の上端部、および下側の切欠凹部４５よりも下側領域である延設部４４の下端部は、上下長さが短めの仮カシメ用の爪部４４ａとなっている。
【００３７】
各切欠凹部４５は、図示されているように、ある程度の上下幅をもつ凹部として形成できる他、これに代えて、細幅なスリット状、上下幅が殆どゼロに近い切り目状、あるいは延設部４４の外側縁４４ｃ寄りほど開口幅が広がる略Ｖ字状などとすることも可能である
。各切欠凹部４５を長い寸法に形成するほど、後述する仮カシメ作業において、爪部４４ａを大きく曲げ易くなる。ただし、好ましくは、各切欠凹部４５の長さＬ１は、後述する本カシメ作業を終了した状態において、延設部４４と被カシメ部１１ａとの重なり幅Ｌ２以下とされている（図１（ｄ）を参照）。
【００３８】
蓋部４をケース本体部Ｃｍに組み付ける際には、図３に示すように、蓋部４の対向部４１を、ケース本体部Ｃｍのフランジ部１１ａに対向接触させる。また、その際には、蓋部４のフランジ部４２が、ケース本体部Ｃｍの後端縁部１２ａ，２３上に重なるように、蓋部４の位置合わせを行なう。
【００３９】
次いで、前記した状態において、ケース本体部Ｃｍと蓋部４との仮固定を図る。この仮固定は、図４に示すように、蓋部４の延設部４４のうち、各爪部４４ａのみに曲げ加工を施し、各爪部４４ａと対向部４１との相互間にフランジ部１１ａを挟み込む仮カシメ作業を行なうことにより図る。各爪部４４ａは、上下方向の長さが短くされているため、比較的容易に曲げることが可能である。したがって、ケース本体部Ｃｍの姿勢を、図４に示した姿勢のまま、構成が簡易かつ小型のカシメ装置・機器を用いて、前記した仮カシメ作業を適切に行なうことが可能である。図４に示したケース本体部Ｃｍの姿勢は、ケース本体部Ｃｍ内に複数のバーナ５を組み込む作業を行なう際の姿勢である。
【００４０】
各爪部４４ａは、延設部４４の上下両端部に位置しているため、たとえば図４（ｄ）に示すように、延設部４４の下端部に位置する爪部４４ａについては、その一部をフランジ部１１ａの下端部に係合させるように圧接させることも可能となる。図示説明は省略するが、延設部４４の上端部に位置する爪部４４ａについては、前記と同様な原理により、この爪部４４ａの一部をフランジ部１１ａの上端部に係合させるように圧接させることも可能である。したがって、仮カシメによるケース本体部Ｃｍと蓋部４との仮固定を確実かつ強固に図ることが可能となる。
【００４１】
前記した仮固定を終えた後には、ケース本体部Ｃｍと蓋部４との本固定を図るべく、図１および図２を参照して説明した第１のカシメ部７Ａを形成するための本カシメ作業を行なう。併せて、第２のカシメ部７Ｂを形成するためのカシメ作業も行なう。このようなカシメ作業は、仮カシメ作業時とは別の比較的大型のカシメ装置を用いて行なうが、このカシメ装置は、たとえば蓋部４がケース本体部Ｃｍの下側となるようにこれらを所定箇所にセッティングしなければならない仕様となっている。これに対応すべくケース本体部Ｃｍおよび蓋部４の姿勢を変化させるような場合であっても、それらは前記した爪部４４ａを利用した仮固定が図られているため、ケース本体部Ｃｍと蓋部４との間で不当な位置ずれなどを生じないようにすることが可能である。
【００４２】
第１のカシメ部７Ａを形成するための本カシメ作業においては、図１に示すように、蓋部４の延設部４４の上下方向の全長域に曲げ加工施し、この延設部４４および対向部４１のそれぞれの全長域の間に、フランジ部１１ａを強く挟み込ませる。その際、爪部４４ａについても曲げ加工を施すことにより、図１（ｄ）に示すように、爪部４４ａの略全域をフランジ部１１ａに圧接させた状態とすることが可能である。同図に示すように、好ましくは、切欠凹部４５の長さＬ１は、延設部４４と被カシメ部１１ａとの重なり幅Ｌ２以下であるため、切欠凹部４５がバーナケースＢＣの気密性を阻害することもない。延設部４４の曲げ加工部４４ｄにおいては、延設部４４とフランジ部１１ａとの密着性が低くなりがちであるため、この部分に切欠凹部４５が位置していると、バーナケースＢＣ内の気体が切欠凹部４５を通過して外部に流出する虞がある。これに対し、前記構成によれば、切欠凹部４５の全体は、フランジ部１１ａによって適切に塞がれ、前記した虞は適切に解消される。
【００４３】
第２のカシメ部７Ｂについては、図１（ｃ）に示すように、延設部４２ａに曲げ加工を施し、ケース本体部Ｃｍの後端縁部１２ａ，２３の下面側に廻り込ませることにより、形成することが可能である。この第２のカシメ部７Ｂにおいては、ケース本体部Ｃｍと蓋部４との固定が図られることに加え、ケース本体部Ｃｍのベース部材１とバーナセット用部材２との固定連結も併せて図られる。
【００４４】
前記したカシメ作業により、図１に示したバーナケースＢＣを適切に製造することが可能である。バーナケースＢＣと蓋部４との組み付けに際し、ビス止め手段を用いておらず、カシメ作業のみによってそれらの組み付け固定を図っているために、生産性がよく、製造コストを廉価にすることが可能である。また、第１および第２のカシメ部７Ａ，７Ｂは、気密性を高くすることができ、バーナケースＢＣと蓋部４との間にシール用パッキンを介装させる必要もないため、製造コストをより廉価にすることが可能である。
【００４５】
図６〜図８は、本発明の他の実施形態を示している。これらの図において、前記実施形態と同一または類似の要素には、前記実施形態と同一の符号を付すこととし、その重複説明は省略する。
【００４６】
図６に示す実施形態においては、蓋部４の一対の延設部４４のうち、一方の上端部に爪部４４ａを設け、かつ他方の下端部に爪部４４ａを設けている。このような構成によれば、爪部４４ａの総数を少なくしつつ、蓋部４をケース本体部Ｃｍに安定的に仮固定させることが可能である。なお、前記実施形態においては、図２に示されているように、蓋部４に計４つの爪部４４ａを設けているが、仮カシメ作業を行なう場合に、これら４つの爪部４４ａの全てを利用して仮カシメを行なう必要はなく、図６に示した爪部４４ａの配置と同様に、４つの爪部４４ａのうち、たとえば２つの爪部４４ａのみを利用して仮カシメを行なうようにしてもよい。
本実施形態および前記実施形態から理解されるように、本発明においては、延設部４４に設けられる爪部４４ａの具体的な数や、仮カシメに実際に利用される爪部４４ａの数は限定されない。
【００４７】
図７に示す実施形態においては、蓋部４の延設部４４の上下方向（長さ方向）の中間領域に、２つの切欠凹部４５を設け、かつこれらの相互間領域を爪部４４ａとしている。
このような構成においても、爪部４４ａは、その上下方向の長さが短くされているため、曲げ加工が容易であり、仮カシメに利用することが可能である。ただし、延設部４４の長さ方向の端部に爪部４４ａを設ける場合には、切欠凹部４５を１つだけ設ければよく、中間部に爪部４４ａを設ける場合には、切欠凹部４５の数が増えること、および爪部４４ａは、延設部４４の端部に位置する方が曲げ加工を行ない易いなどの理由から、爪部４４ａは、延設部４４の長さ方向端部に設けることが好ましい。
【００４８】
図８に示す実施形態においては、延設部４４の上下両端部を部分的な幅広部、すなわち延設部４４の他の一般部分よりも幅広な部分とし、この部分を爪部４４ｂとしている。
このような構成によれば、爪部４４ｂの幅が広くされているため、この爪部４４ｂを大きく曲げ易く、この爪部４４ｂを利用して仮カシメを行なうことが可能である。本発明でいう爪部には、このような形態の爪部も含まれる。なお、図示説明は省略するが、前記したような幅広状の爪部４４ｂを、延設部４４の長さ方向の中間部に設けた構成とすることも可能である。
【００４９】
本発明は、上述した実施形態の内容に限定されない。本発明に係るバーナケースの製造方法の各工程の具体的な構成は、本発明の意図する範囲内において種々に変更自在である。同様に、本発明に係るバーナケースの具体的な構成も、種々に設計変更自在である。
【００５０】
上述の実施形態では、バーナケースＢＣのフランジ部１１ａを被カシメ部とし、かつ蓋部４の両側縁部を対向部４１としているが、これとは反対に、蓋部４の両側縁部を被カシメ部とし、かつフランジ部１１ａをそれに対向する対向部として、このフランジ部１１ａにカシメ用の延設部を延設した構成とすることも可能である。
【００５１】
上述の実施形態においては、バーナケースＢＣに蓋部４を組み付け固定させるための手段として、第１のカシメ部７Ａに加え、第２のカシメ部７Ｂをも形成しているが、たとえば第２のカシメ部７Ｂを形成しない構成とすることもできる。この場合、蓋部４およびバーナケースＢＣのそれぞれの下縁部どうしを、たとえばビス止めしてもよい。この場合であっても、第１のカシメ部７Ａを形成することにより、ビス止め箇所の総数を減らすなどの利点が得られる。
【００５２】
本発明でいう爪部は、延設部の一部を部分的に曲げて仮カシメを行なうことを可能とする爪状の部分であり、この爪部の具体的な形態は、上述した実施形態の爪部に限定されない。
本発明でいう第１および第２の部材は、バーナケースＢＣや蓋部４に限定されない。本発明は、バーナケースを構成する２つの部材を連結固定する場合に広く適用することが可能であり、たとえば図５に示したベース部材１とバーナセット用部材２との一方を第１の部材とし、かつ他方を第２の部材とし、それらの連結固定を図る場合に、本発明を適用することもできる。
バーナケースは、給湯装置用に限定されない。バーナケース内に収容されるバーナの具体的な種類や構成も限定されない。
【符号の説明】
【００５３】
Ｂ  燃焼装置
ＢＣ  バーナケース
Ｃｍ  ケース本体部（第１の部材）
１１ａ  フランジ部（被カシメ部）
１２  底壁部
４  蓋部（第２の部材）
４１  対向部
４４  延設部
４４ａ，４４ｂ  爪部
４４ｃ  外側縁（延設部の）
４５  切欠凹部
５  バーナ
６１  後面開口部（開口部）
７Ａ  第１のカシメ部
７Ｂ  第２のカシメ部
【図１】
2018031551.tif 000003
【図２】
2018031551.tif 000004
【図３】
2018031551.tif 000005
【図４】
2018031551.tif 000006
【図５】
2018031551.tif 000007
【図６】
2018031551.tif 000008
【図７】
2018031551.tif 000009
【図８】
2018031551.tif 000010